(57)【要約】【課題】２種類の化粧用紙を収納して便利に使用できる化粧用紙収納ケースを提供すること。【解決手段】この発明の化粧用紙収納ケースは、１収納部と第２収納部２を有し、第１収納部１と第２収納部２に異種の化粧用紙３，４を収納できるようにした、１枚のシートを折り曲げて構成されたものとしている。シートは、第１上部５、第１底部、第２底部、第２上部８が直列に設けられ、第１底部及び第２底部は各側部にそれぞれ側部フラップを有し、さらに第１上部５及び第２上部８は各外端にそれぞれ外端フラップを有するものとし、これを折り曲げることにより化粧用紙収納ケースを作製することができる。【選択図】  図４
2007217023.tif 000002
【特許請求の範囲】
【請求項１】
第１収納部（１）と第２収納部（２）を有し、第１収納部（１）と第２収納部（２）に異種の化粧用紙（３）（４）を収納できるようにした、１枚のシートを折り曲げて構成されていることを特徴とする化粧用紙収納ケース。
【請求項２】
シートが、第１上部（５）、第１底部（６）、第２底部（７）、第２上部（８）が直列に設けられ、第１底部（６）及び第２底部（７）は各側部にそれぞれ側部フラップ（６０）（７０）を有し、さらに第１上部（５）及び第２上部（８）は各外端にそれぞれ外端フラップ（５１）（８１）を有するものとし、前記各側部フラップ（６０）（７０）を内側に折り曲げ、第１上部（５）と第１底部（６）との間の折り目、及び第２上部（８）と第２底部（７）との間の折り目で内側に折り曲げ、そして、前記各外端フラップ（５１）（８１）を内側に折り曲げて前記折り曲げられた各側部フラップ（６０）（７０）の内側に差し込むことにより、第１上部（５）と第１底部（６）からなる第１収納部（１）と、第２上部（８）と第２底部（７）からなる第２収納部（２）を有するようにしている請求項１記載の化粧用紙収納ケース。
【請求項３】
第１上部（５）及び第２上部（８）が化粧用紙（３）（４）を取り出すための開口部（９）（１０）を有しているとともに、その側部にそれぞれ側部フラップ（５０）（８０）を有し、これら側部フラップ（５０）（８０）が内側に折り曲げられて、それぞれ第１底部（６）及び第２底部（７）の折り曲げられた各側部フラップ（６０）（７０）の上に位置し、これら第１上部（５）及び第２上部（８）の折り曲げられた各側部フラップ（５０）（８０）の内側に化粧用紙（３）（４）が保持されるようにしている請求項２記載の化粧用紙収納ケース。
【請求項４】
いずれかの外端フラップ（８１）に仕切り板（１１）を延設した請求項２又は３記載の化粧用紙収納ケース。
【発明の詳細な説明】
【技術分野】
【０００１】
この発明は、顔の皮膚の脂や化粧の除去、化粧料の塗布等の目的で使用される化粧用紙収納するためのケースに関するものである。
【背景技術】
【０００２】
脂取り紙のような化粧用紙を収納するケースとしては、特許文献１に記載のような、１枚の紙を折り曲げて作製されたものがある。しかし、従来のこの種のケースは、化粧用紙を収納する部分が１つしかなく、１種類の化粧用紙しか収納することができないものであった。
【０００３】
そのため、例えば脂取り紙と紙おしろいのように２種類の化粧用紙を携帯したい場合、２種類の化粧用紙を別々のケースに収納することになるが、その場合、これらのケースをポーチ等に収納すると、所望の化粧用紙を収納したケースを取り出そうとしても、間違って別の化粧用紙を収納したケースを取り出してしまうことが多く、また、余分なスペースをとることにもなり、極めて使い勝手の悪いものであった。
【特許文献１】特開２００１−２５３４２９号公報
【発明の開示】
【発明が解決しようとする課題】
【０００４】
そこで、この発明は、２種類の化粧用紙を収納して便利に使用できる化粧用紙収納ケースを提供することを課題とする。
【課題を解決するための手段】
【０００５】
前記課題を解決するため、この発明は次のような技術的手段を講じている。
【０００６】
この発明の化粧用紙収納ケースは、１収納部と第２収納部２を有し、第１収納部１と第２収納部２に異種の化粧用紙３，４を収納できるようにした、１枚のシートを折り曲げて構成されたものとしている。
【０００７】
シートは、第１上部５、第１底部６、第２底部７、第２上部８が直列に設けられ、第１底部６及び第２底部７は各側部にそれぞれ側部フラップ６０，７０を有し、さらに第１上部５及び第２上部８は各外端にそれぞれ外端フラップ５１，８１を有するものとし、前記各側部フラップ６０，７０を内側に折り曲げ、第１上部５と第１底部６との間の折り目、及び第２上部８と第２底部７との間の折り目で内側に折り曲げ、そして、前記各外端フラップ５１，８１を内側に折り曲げて前記折り曲げられた各側部フラップ６０，７０の内側に差し込むことにより、第１上部５と第１底部６からなる第１収納部１と、第２上部８と第２底部７からなる第２収納部２を有するようにしたものとすることができる。
【０００８】
第１上部５及び第２上部８が化粧用紙３，４を取り出すための開口部９，１０を有しているとともに、その側部にそれぞれ側部フラップ５０，８０を有し、これら側部フラップ５０，８０が内側に折り曲げられて、それぞれ第１底部６及び第２底部７の折り曲げられた各側部フラップ６０，７０の上に位置し、これら第１上部５及び第２上部８の折り曲げられた各側部フラップ５０，８０の内側に化粧用紙３，４が保持されるようにしたものとすることもできる。
【０００９】
さらに、いずれかの外端フラップ８１に仕切り板１１を延設したものとすることもできる。
【発明の効果】
【００１０】
この発明の化粧用紙収納ケースは、上述のような構成を有しており、２種類の化粧用紙３，４を収納して便利に使用することが可能である。
【００１１】
また、シートが、第１上部５、第１底部６、第２底部７、第２上部８が直列に設けられ、第１底部６及び第２底部７は各側部にそれぞれ側部フラップ６０，７０を有し、さらに第１上部５及び第２上部８は各外端にそれぞれ外端フラップ５１，８１を有するものとし、前記各側部フラップ６０，７０を内側に折り曲げ、第１上部５と第１底部６との間の折り目、及び第２上部８と第２底部７との間の折り目で内側に折り曲げ、そして、前記各外端フラップ５１，８１を内側に折り曲げて前記折り曲げられた各側部フラップ６０，７０の内側に差し込むことにより、第１上部５と第１底部６からなる第１収納部１と、第２上部８と第２底部７からなる第２収納部２を有するものとすることにより、シートの切断や糊付けを行うことなく、この化粧用紙収納ケースを容易に作製することが可能である。
【００１２】
第１上部５及び第２上部８が化粧用紙３，４を取り出すための開口部９，１０を有しているとともに、その側部にそれぞれ側部フラップ５０，８０を有し、これら側部フラップ５０，８０が内側に折り曲げられて、それぞれ第１底部６及び第２底部７の折り曲げられた各側部フラップ６０，７０の上に位置するとともに、これら第１上部５及び第２上部８の折り曲げられた各側部フラップ５０，８０の内側に化粧用紙３，４が保持されるようにすれば、開口部９，１０から化粧用紙３，４を取り出せ、さらに、第１上部５及び第２上部８の折り曲げられた各側部フラップ５０，８０が、第１上部５と第１底部６の折り曲げられた側部フラップ６０との間、及び第２上部８と第２底部７の折り曲げられた側部フラップ７０との間に生じる隙間を小さくするとともに、第１底部６及び第２底部７の折り曲げられた各側部フラップ６０，７０の内側に差し込まれた各外端フラップ５１，８１を引き上げるので、この化粧用紙収納ケースは、第１収納部１と第２収納部２が隙間の少ない、しっかりと組み合わされ安定したものとなる。
【００１３】
さらに、いずれかの外端フラップ８１に仕切り板１１を延設したものとすれば、第１収納部１と第２収納部２の一方に収納した化粧用紙の添加物等が、他方の収納部やそこから露出した化粧用紙にうつることを防止することができる。
【発明を実施するための最良の形態】
【００１４】
以下、この発明の好適な実施形態を、図面を参照して説明する。
【００１５】
図１はこの発明の実施形態の化粧用紙収納ケースの展開状態の平面図、図２は化粧用紙収納ケースの組み立て途中で第１収納部１を構成している状態の説明図、図３は同組み立て途中で第２収納部２を構成している状態の説明図、図４は完成した化粧用紙収納ケースの斜視図、図５はこの化粧用紙収納ケースの第１収納部１の断面図、図６はこの化粧用紙収納ケースを閉じた状態の斜視図である。
【００１６】
この発明の化粧用紙収納ケースは、第１収納部１と第２収納部２を有し、第１収納部１と第２収納部２に異種の化粧用紙３，４を収納できるようにした、１枚のシートを折り曲げて構成されたものとしている。
【００１７】
前記シートは板紙であり、適宜の色や模様を付したものとすることができる。シートは、図１に示したように、第１上部５、第１底部６、第２底部７、第２上部８が順に直列に設けられている。これら各部の両側の側部（図１中の上縁部と下縁部）には、それぞれ側部フラップ５０，６０，７０，８０が設けられており、さらに第１上部５及び第２上部８の各外端にそれぞれ外端フラップ５１，８１が設けられている。また、第１底部６の第２底部７側には、比較的幅の小さい連結部６１が設けられている。
【００１８】
第１上部５、第１底部６、第２底部７、第２上部８、及びこれらの側部フラップ５０，６０，７０，８０、連結部６１は、図中の線であらわされた折り目で区切られている。
【００１９】
第１上部５及び第２上部８には、化粧用紙３，４を取り出すための開口部９，１０が設けられている。第１上部５の開口部９は、略エ字状の切れ目９０によって形成されており、第２上部８の開口部１０は、長方形状の孔として形成されている。なお、両開口部９，１０はともに略エ字状の切れ目によって形成されるもの、あるいは長方形状の孔として形成されるものとしてもよく、さらに、形状は図示した態様に限定されない。
【００２０】
第２上部８の外端フラップ８１には仕切り板１１を延設している。仕切り板１１は、仕切り板本体部１１０と折り返し部１１１とからなる。折り返し部１１１は前記外端フラップ８１に折り目を介して接続した部分であり、前記折り目で折ったときに前記外端フラップ８１とちょうど重なり合うように、前記外端フラップ８１と対称な形状としている。仕切り板本体部１１０は、折り返し部１１１に折り目を介して接続した部分であり、この折り目で折って第１収納部１と第２収納部２間に立った状態、あるいは第１収納部１と第２収納部２のいずれかの側に倒れた状態とすることができるようにしている。なお、仕切り板１１は、第１上部５の外端フラップ５１に延設してもよい。
【００２１】
この化粧用紙収納ケースを組み立てるには、まず、図２、図３に示したように、シートの各側部フラップ５０，６０，７０，８０を、それぞれ内側に折り曲げ、次に、第１上部５と第１底部６との間の折り目、及び第２上部８と第２底部７との間の折り目で内側に折り曲げる。そして、前記各外端フラップ５１，８１を内側に折り曲げて、前記外端フラップ５１を第１底部６の前記折り曲げられた側部フラップ６０の内側に差し込み、前記外端フラップ８１を第２底部７の前記折り曲げられた側部フラップ７０の内側に差し込む。このとき、第２上部８の外端フラップ８１に延設された仕切り板１１の折り返し部１１１も、前記外端フラップ８１とともに差し込む。
【００２２】
このようにシートの折り曲げ、差し込みの作業を行うことにより、図４に示したように、第１上部５と第１底部６からなる第１収納部１と、第２上部８と第２底部７からなる第２収納部２を有する化粧用紙収納ケースができる。
【００２３】
化粧用紙３，４は、前記第１上部５及び第２上部８の各側部フラップ５０，８０を内側に折り曲げる際に、これら各側部フラップ５０，８０の内側に保持されるようにしておけば、化粧用紙収納ケースの完成時に収納された状態となる。
【００２４】
また、化粧用紙３，４は、多数枚を単純に積層した状態で収納しても良いが、１枚ずつ二つ折りにし、上下の化粧用紙が互い違いに組み合わさるように積層し、最上段の化粧用紙が開口部９，１０から一部露出した状態にして収納することにより、最上段の化粧用紙を引き出すと、次の化粧用紙が開口部９，１０から一部露出した状態であらわれるようにすることができる。
【００２５】
化粧用紙３，４は、脂取り紙、紙おしろい等であり、その他、パルプ、麻等を原料とする紙でアロエ成分やヒアルロン酸等を添加したり、適宜の色や模様を付したりしたものとすることができる。
【００２６】
この化粧用紙収納ケースは、図５に示したように、第１上部５の開口部９の略エ字状の切れ目９０によってできた左右の片９０ａ，９０ｂを、化粧用紙３を下から支える保持腕として利用することができる。
【００２７】
この実施形態では、第１上部５及び第２上部８の側部フラップ５０，８０が内側に折り曲げられて、それぞれ第１底部６及び第２底部７の折り曲げられた各側部フラップ６０，７０の上に位置するため、第１上部５と第１底部６の折り曲げられた側部フラップ６０との間、及び第２上部８と第２底部７の折り曲げられた側部フラップ７０との間に生じる隙間が小さくなるとともに、第１底部６及び第２底部７の折り曲げられた各側部フラップ６０，７０の内側に差し込まれた各外端フラップ５１，８１が引き上げられるので、第１収納部１と第２収納部２が隙間の少ない、しっかりと組み合わされ安定したものとなっている。
【００２８】
なお、シートは第１上部５及び第２上部８の各側部フラップ５０，８０を設けない構成として実施することも可能であり、その場合、化粧用紙３，４は、前記第１底部６及び第２底部７の各側部フラップ６０，７０を内側に折り曲げる際に、これら各側部フラップ６０，７０の内側に保持されるようにしておけばよい。
【００２９】
また、この化粧用紙収納ケースは、仕切り板１１により、第１収納部１と第２収納部２の一方に、紙おしろいのような表面に粉状の添加物等が付着した化粧用紙を収納した場合、この化粧用紙が一部露出しても、前記添加物が、他方の収納部やそこから露出した化粧用紙にうつることが防止され、化粧用紙を無駄にすることがない。
【００３０】
さらに、第１上部５には、第１底部６側の位置に略コ字状の切れ目１２が形成され、第２上部８には、第２底部７側の位置に線状の切れ目１３が形成されており（図１参照）、図６に示したように、この化粧用紙収納ケースを連結部６１の両側の折り目で内側に折り曲げ、前記略コ字状の切れ目１２の内側の部分を、前記線状の切れ目１３に差し込むことにより、閉じてコンパクトにした状態が保持されるようにすることが可能である。
【００３１】
なお、この発明は、上述の実施形態の構成に限定されるものではなく、素材、形状、寸法等を適宜変更して実施することができる。
【図面の簡単な説明】
【００３２】
【図１】この発明の実施形態の化粧用紙収納ケースの展開状態の平面図である。
【図２】この発明の実施形態の化粧用紙収納ケースの組み立て途中で、第１収納部を構成している状態の説明図である。
【図３】この発明の実施形態の化粧用紙収納ケースの組み立て途中で、第２収納部を構成している状態の説明図である。
【図４】この発明の実施形態の化粧用紙収納ケースの斜視図である。
【図５】この発明の実施形態の化粧用紙収納ケースの第１収納部の断面図である。
【図６】この発明の実施形態の化粧用紙収納ケースを閉じた状態の斜視図である
【符号の説明】
【００３３】
１  第１収納部
２  第２収納部
３，４  化粧用紙
５  第１上部
６  第１底部
７  第２底部
８  第２上部
９，１０  開口部
１１  仕切り板
５０，６０，７０，８０  側部フラップ
５１，８１  外端フラップ
【図１】
2007217023.tif 000003
【図２】
2007217023.tif 000004
【図３】
2007217023.tif 000005
【図４】
2007217023.tif 000006
【図５】
2007217023.tif 000007
【図６】
2007217023.tif 000008